(57)【特許請求の範囲】
【請求項１】
ワイヤハーネスの幹線を構成する大径の主電線束と、該主電線束の一部が分岐された小径の分岐電線束と、該分岐電線束以外の残留する小径の電線束で構成される幹線の端末の被分岐電線束とから構成される分岐部へのコルゲートチューブ取付構造であって、
上記ワイヤハーネスには、分岐点の上記主電線束にのみテープを巻き付けて、上記分岐電線束と被分岐電線束に分岐させ、
上記分岐された分岐電線束と被分岐電線束に、それぞれスリット部を備えると共にこれら電線束の外径に応じた小径のコルゲートチューブを上記スリット部を拡開して外装する一方、
上記幹線における主電線束にはスリット部を備えた大径のコルゲートチューブをスリット部を拡開して外装すると共に、該大径のコルゲートチューブの円筒状の端部を被分岐電線束側に延出して、該被分岐電線束に外装した小径のコルゲートチューブの端部にオーバーラップさせると共に、該大径のコルゲートチューブのスリット部で上記分岐電線束を跨ぐように外装し、
上記被分岐電線束側で小径のコルゲートチューブに大径のコルゲートチューブをオーバーラップさせた部分の先端の接合部と、上記分岐電線束に外装した小径のコルゲートチューブに大径のコルゲートチューブを突き合わせ部との二カ所にのみ、それぞれテープを巻き付けているワイヤハーネスの分岐部へのコルゲートチューブ取付構造。
【発明の詳細な説明】
【０００１】
【発明の属する技術分野】
本発明は、ワイヤハーネスの分岐部へのコルゲートチューブ取付構造に関し、詳しくは、コルゲートチューブを外装したワイヤハーネスの外径の肥大化を防止すると共に、コルゲートチューブの取付作業性の向上を図るものである。
【０００２】
【従来の技術】
自動車のエンジンルーム内等に配索されるワイヤハーネスは、図４（Ａ）に示すように、ワイヤハーネスＷ／Ｈを構成する電線束の所要位置に、合成樹脂よりなり、長手方向に環状の凹凸部を繰り返す円筒状のコルゲートチューブ１を外装して、電線束を保護している。上記コルゲートチューブ１は、拡開可能なスリット部１ａを軸方向に有し、該スリット部１ａを順次拡開して電線束に外装するようにしている。
【０００３】
図４（Ａ）は、ワイヤハーネスＷ／Ｈの分岐部２へコルゲートチューブ１を外装した状態を示している。上記分岐部２は、特に、ワイヤハーネスＷ／Ｈの幹線Ｗａを構成する大径の主電線束Ｗ１の一部を分岐して小径の分岐電線束Ｗ２からなる分岐線Ｗｂを構成し、上記分岐電線束Ｗ２以外の残留する電線からなる小径の被分岐電線束Ｗ３で幹線Ｗａの端末が形成された状態を示している。
【０００４】
この場合、被分岐電線束Ｗ３は、幹線Ｗａの一部を構成するにも拘わらず、分岐電線束Ｗ２側へ電線が分岐した分、幹線Ｗａにおける分岐部２の手前の部分に比し、小径となっている。このような状態の分岐部２へのコルゲートチューブ１の取付構造として、従来は、図４（Ａ）（Ｂ）に示すような構造を採用している。まず、小径の分岐電線束Ｗ２に対し、小径のコルゲートチューブ１Ｂを外装し、ついで、幹線１の主電線束Ｗ１から端末の被分岐電線束Ｗ３にわたって大径の主電線束Ｗ１に合致する大径のコルゲートチューブ１Ａを外装している。ここで分岐電線束Ｗ２は、コルゲートチューブ１Ａのスリット１ａを通して外部へ取り出すようにしている。そして、コルゲートチューブ１Ａ、１Ｂの取付完了後、分岐部２の継ぎ目の露出部分にテープＴを巻装している。
【０００５】
【発明が解決しようとする課題】
分岐部２における幹線１を構成する電線束が、分岐電線束Ｗ２の前後で、ほぼ同一径の場合（例えば特開平９−１１２７４５号公報）は、上記のように幹線１用として、１本の大径のコルゲートチューブ１Ａの使用が適している。しかしながら、上記のように幹線１を構成する主電線束Ｗ１と被分岐電線束Ｗ３との径が異なる場合、大径のコルゲートチューブ１Ａの使用により、被分岐電線束Ｗ３のコルゲートチューブの径が不必要に肥大化し、周辺機器部品に干渉するため、車体への取付に支障をきたしていた。さらには、被分岐電線束Ｗ３の長さ寸法が長い設定の場合は、主電線束Ｗ１から被分岐電線束Ｗ３へのコルゲートチューブ１Ａの送り出し操作中に分岐電線束Ｗ２跨ぐ距離が長くなり、その取付作業性がわるかった。
【０００６】
本発明は上記した問題に鑑みてなされたもので、分岐部における各電線束の径に適合したコルゲートチューブの取付を可能とすることで、ワイヤハーネスの不必要な肥大化を防止すると共に、コルゲートチューブの取付作業性の向上を図ることを課題としている。
【０００７】
【課題を解決するための手段】
上記課題を解決するため、本発明は、ワイヤハーネスの幹線を構成する大径の主電線束と、該主電線束の一部が分岐された小径の分岐電線束と、該分岐電線束以外の残留する小径の電線束で構成される幹線の端末の被分岐電線束とから構成される分岐部へのコルゲートチューブ取付構造であって、
上記ワイヤハーネスには、分岐点の上記主電線束にのみテープを巻き付けて、上記分岐電線束と被分岐電線束に分岐させ、
上記分岐された分岐電線束と被分岐電線束に、それぞれスリット部を備えると共にこれら電線束の外径に応じた小径のコルゲートチューブを上記スリット部を拡開して外装する一方、
上記幹線における主電線束にはスリット部を備えた大径のコルゲートチューブをスリット部を拡開して外装すると共に、該大径のコルゲートチューブの円筒状の端部を被分岐電線束側に延出して、該被分岐電線束に外装した小径のコルゲートチューブの端部にオーバーラップさせると共に、該大径のコルゲートチューブのスリット部で上記分岐電線束を跨ぐように外装し、
上記被分岐電線束側で小径のコルゲートチューブに大径のコルゲートチューブをオーバーラップさせた部分の先端の接合部と、上記分岐電線束に外装した小径のコルゲートチューブに大径のコルゲートチューブを突き合わせ部との二カ所にのみ、それぞれテープを巻き付けているワイヤハーネスの分岐部へのコルゲートチューブ取付構造を提供している。
【０００９】
上記構成とすると、幹線を構成する主電線束と被分岐電線束に対し、ぞれぞれの外径に応じた最適な径のコルゲートチューブで外装することができるため、ワイヤハーネスの不必要な肥大化を防止できる。また、主電線束と被分岐電線束との接合部では、被分岐電線束側の小径のコルゲートチューブに対し、主電線束側の大径のコルゲートチューブがオーバーラップするため、上記接合部での外装保護機能を低下させることもない。さらに、分岐電線束に対し大径のコルゲートチューブが跨ぐ区間は、端部の僅かな区間のみとなるため、その取付作業性も従来に比し大幅に向上することができる。
【００１０】
【発明の実施の形態】
以下、本発明の実施形態を図面を参照して説明する。
図１は、ワイヤハーネスＷ／Ｈの分岐部２へ、合成樹脂よりなり、長手方向に環状の凹凸部を繰り返す円筒状のコルゲートチューブ１１Ａ、１１Ｂ、１１Ｃを外装して、電線束Ｗ１、Ｗ２，Ｗ３を保護するようにしたコルゲートチューブ取付構造を示している。上記コルゲートチューブ１１Ａ、１１Ｂ、１１Ｃは、拡開可能なスリット部１１ａを軸方向に有し、該スリット部１１ａを順次拡開して電線束Ｗに外装するようになっている。
【００１１】
上記分岐部２は、図２（Ａ）に示すように、ワイヤハーネスＷ／Ｈの幹線Ｗａを構成する大径の主電線束Ｗ１の一部の電線を所要箇所に巻き付けたテープＴ１を分岐点Ｐとして直交方向に分岐することで、小径の分岐電線束Ｗ２からなる分岐線Ｗｂを構成している。上記幹線Ｗａの端末側は、分岐された分岐電線束Ｗ２以外の残留する電線からなる被分岐電線束Ｗ３で構成され、主電線束Ｗ１に比し小径となっている。また、上記のように分岐された分岐電線束Ｗ２、被分岐電線束Ｗ３の端末部には、それぞれコネクタＣ２、Ｃ３が接続されている。
【００１２】
上記のように構成された分岐部２にコルゲートチューブ１１Ａ、１１Ｂ、１１Ｃを取り付けるには、まず図２（Ｂ）に示すように、小径の電線束からなる分岐電線束Ｗ２と被分岐電線束Ｗ３に、それぞれ小径のコルゲートチューブ１１Ｂ、１１Ｃをスリット１１ａ部を通して外装する。ついで、上記幹線Ｗａの基幹部を構成する主電線束Ｗ１には、大径のコルゲートチューブ１１Ａを同様に外装する。
【００１３】
上記大径のコルゲートチューブ１１Ａは、主電線束Ｗ１から被分岐電線束Ｗ３側に約２０ｍｍ程延出する長さに設定され、取り付けに際し、被分岐電線束Ｗ３側に向けて順に送り出すと共に、スリット部１１ａにて分岐電線束Ｗ２を跨ぐようにして外装している。被分岐電線束Ｗ３側に延出された大径のコルゲートチューブ１１Ａの先端部は、図３に示すように、被分岐電線束Ｗ３に外装された小径のコルゲートチューブ１１Ｃの端部外周にオーバーラップさせた接合部１３を形成している。
【００１４】
また、上記のようにしてコルゲートチューブ１１Ａ、１１Ｂ、１１Ｃが外装された分岐部２において、上記接合部１３および上記分岐電線束Ｗ２に外装した小径のコルゲートチューブ１１Ｂと大径のコルゲートチューブ１１Ａとの突き合わせ部１４には、図１の鎖線で示すように、それぞれテープＴ２、Ｔ３を巻き付けて分岐形態を整えている。なお、コルゲートチューブ１１Ａ、１１Ｂ、１１Ｃの他の部分には、通常の処理と同様にハーフラップ状若しくは全域にテープ巻きを施すようにしている。
【００１５】
【発明の効果】
以上の説明より明きらかなように、本発明に係わるワイヤハーネスの分岐部へのコルゲートチューブ取付構造では、分岐部を構成する各電線束の外径に応じた最適な径のコルゲートチューブを外装できるため、ワイヤハーネスの不必要な肥大化を防止できる。また、分岐電線束に対し大径のコルゲートチューブが跨ぐ区間は、端部の僅かな区間のみとなるため、その取付作業性も従来に比し大幅に向上することができる。
【図面の簡単な説明】
【図１】  本発明に係るワイヤハーネスの分岐部へのコルゲートチューブ取付構造を示す図である。
【図２】  （Ａ）（Ｂ）コルゲートチューブの取付工程を示す図である。
【図３】  接合部および突き合わせ部の一部断面図である。
【図４】  （Ａ）（Ｂ）従来例を示す図である。
【符号の説明】
Ｗ／Ｈ  ワイヤハーネス
Ｗ１  主電線束
Ｗ２  分岐電線束
Ｗ３  被分岐電線束
Ｔ、Ｔ１、Ｔ２、Ｔ３  テープ
１１Ａ、１１Ｂ、１１Ｃ  コルゲートチューブ
１２  分岐部
１３  接合部
１４  突き合わせ部
【図１】
0003769919.tif 000002
【図２】
0003769919.tif 000003
【図３】
0003769919.tif 000004
【図４】
0003769919.tif 000005